Podtech/llm-jp-corpus-v4-ja_patent huggingface dataset:
(57)【要約】【課題】壁や窓にとまったカメムシを悪臭なしで捕虫し、中に密閉するカメムシの捕虫器に関するものである。【解決手段】中央部を内側に曲げたバネ板の前部に、左右対称な側板を下向きに設けてふたを形成し、円筒の容器と一体な長い角筒の前端を斜めに切り落とした開口部に、ふたを合わせて角筒に固定する。これを使用するときは、円筒の容器を握り、壁に側版を押しつけながら、開口部先端を壁に当て止め、ふたを全開してカメムシに向け急速にすべらし、カメムシの足をすくい容器の底に転がし入れ、瞬時にふたが閉じることを特徴とするカメムシの捕虫器を提供する。【選択図】図１
2018166500.tif 000002
【特許請求の範囲】
【請求項１】
中央部を内側に曲げたバネ板の前部に、左右対称な側板を下向きに設けてふたを形成し、円筒の容器と一体な長い角筒の前端を斜めに切り落とした開口部に、ふたを合わせて角筒に固定する。これを使用するときは、円筒の容器を握り、壁に側版を押しつけながら、開口部先端を壁に当て止め、ふたを全開してカメムシに向け急速にすべらし、カメムシの足をすくい容器の底に転がし入れ、瞬時にふたが閉じることを特徴とするカメムシの捕虫器。
【発明の詳細な説明】
【技術分野】
【０００１】  本願発明は、壁や窓にとまったカメムシを悪臭なしで捕虫し、中に密閉するカメムシの捕虫器に関するものである。
【背景技術】
【０００２】従来、カメムシの捕虫には、ガムテープではりつける。掃除機で吸い込むなどの方法しかなかった。
【発明の概要】
【発明が解決しようとする課題】
【０００３】それには次のような問題点があった。
カメムシは、人影や視線、他の虫や動くものにも反応して警戒し、威嚇してから悪臭を出す習性があるから、悪臭なしで捕虫することは難しく、掃除機で吸えば、排気で部屋中に悪臭を撒き散らすことになった。カメムシは世界中にいる。この悩みは共通である。殺虫剤で殺すことはできても、悪臭を防ぐ方法がないのが現実である。
【課題を解決する手段】
【０００４】中央部を内側に曲げたバネ板の前部に、左右対称な側板を下向きに設けてふたを形成し、円筒の容器と一体な長い角筒の前端を斜めに切り落とした開口部に、ふたを合わせて角筒に固定する。これを使用するときは、円筒の容器を握り、壁に側版を押しつけながら、開口部先端を壁に当て止め、ふたを全開してカメムシに向け急速にすべらし、カメムシの足をすくい容器の底に転がし入れ、瞬時にふたが閉じることを特徴とするカメムシの捕虫器を提供する。
【発明の効果】
【０００５】本発明は、人影や視線を感じてから悪臭を発生させるカメムシの習性を利用したものである。カメムシを遠くから狙うので警戒されず、悪臭を出すまえに捕虫できる。側板で逃げ道を塞ぐから捕虫が確実である。壁をすべらせるだけで素早く簡単に捕虫できる。カメムシの足をすくって、容器に転がし入れるので、悪臭を発生する暇を与えない。また容器に入ったカメムシは悪臭を発生させない。捕虫と同時にふたが閉じるので、カメムシに逃げられることがなく、臭いも漏れない。平面の場所なら、窓、壁、床、天井どこでも臭いなくカメムシを捕虫できる。
以上、カメムシの悪臭がない快適な生活が保障される。
【図面の簡単な説明】
【０００６】
【図１】は本願発明の斜視図である。
【図２】は本願発明の開口部、断面図である。
【発明を実施するための形態】
【０００７】以下、本発明の実施の形態を説明する。
（イ）中央部５を内側に曲げたバネ板の前部に左右対称な側版４を下向きに設けてふた２      を形成する。
（ロ）円筒の容器１と一体な、長い角筒６の前端を斜めに切り落とした開口部３を設ける      。
（ハ）開口部３にふた２を合わせて後部を角筒６に固定して組み立ては完了する。
（ニ）バネ部５の強さは板の材質で異なる。仕様に合わせて板厚を決める。
（ホ）ふた２の後部は、バネ板の強さによっては多少の長短の調整を行う。
（ヘ）バネ板の曲げ角度は、繰り返し荷重を考え、開口部３の角度より少し小さくする。
（ト）開口部３の先端角度は２５から３０度程度の鋭角とする。
（チ）容器１と角筒６をネジでつなぐ方法にすれば容器１をペットボトルで代替えできる      。
（リ）試作品における材質を記載する。容器１と角筒６は一般的な容器プラスチック。ふ      た２は透明な硬質プラスチック。
本願発明は以上の構成よりなっている。本願発明を使用するときは、円筒の容器１を握り壁７に側板４を押しつけながら開口部３の先端を壁７に当て止め、ふた２を全開してカメムシに向けて急速にすべらし、カメムシの足をすくい容器１の底に転がし入れ、瞬時にふた２が閉じることを特徴とするカメムシの捕虫器である。
【符号の説明】
【０００８】  １は、容器
２は、ふた
３は、開口部
４は、側板
５は、中央部
６は、角筒
７は、壁
８は、破断部
【図１】
2018166500.tif 000003
【図２】
2018166500.tif 000004
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
首長の角筒部を有する円筒容器の角筒に、カメムシの足をすくう鋭角な前端を有する斜めの開口部を上向きに設け、曲げた中央部にバネを有するバネ板の前部に、下方に滑走面を有する一対の側板を、角筒の側部を摺動可能に取り付け、このバネ板の前部を角筒の開口部にかぶせ後部を角筒に固定し、側板の下方を押して開き、バネの力で閉じる半自動のドアのような片持ちにして、角筒の開口部を常時閉に密着させ、円筒容器を密閉する構造であって、側板の下方を平面に押し付け、開口部前端を当て止めると、開口部からバネ板の前部が押し上げられ、左右の口は側板でふさがれ、前方に開口部をバネ板の前部で囲んだ捕虫口を形成し、このまま平面をすべらせると開口部前端と側板は同調してすべり捕虫口を一定に保ち、開口部前端がカメムシの足をすくって、腹部を通り抜けるとカメムシはすでに開口部の中に導入されていて、このとき開口部前端を平面から離せば、瞬時にバネ板の前部は開口部に密着し、円筒容器を密閉し、中をカメムシが底に落ちていくという全く例を見ない捕虫方法である。越冬場所を求め屋内に侵入し、秋から春まで壁や窓に動き回るカメムシを捕虫する際には、円筒容器を片手で持ち、カメムシを狙って、下方から上にひとこすりした瞬間に手の握りをゆるめることで、前記捕虫法の一連の動作を一瞬に完了させ、カメムシを円筒容器の中に密閉するカメムシの捕虫器である。
(57)【要約】      （修正有）【課題】スコップ形の収納本体部を利用し、飼い主は、直接手に触れることなく、犬の糞をポリ袋に収納できる衛生的な器具を提供する。【解決手段】収納本体部１にワンタッチで伸縮自在の柄部を先端のクリップで結合させた器具の収納本体部にポリ袋を重ねて取り付けておき、飼い主は立ったまま楽な姿勢で犬の後足の間にスムーズに挿入でき、犬が移動しながら排便する時も適時に収納本体部を犬の後足の間に差し込むことができ、犬の糞を収納した後にポリ袋を１枚ずつ裏返しして脱がして袋詰めにすることで、衛生的に手早く処理できるものである。【選択図】図２
2018166501.tif 000002
【特許請求の範囲】
【請求項１】
折り曲げることにより立体的なスコップ形になる収納本体部（１）と前記収納本体部を伸縮自在の柄部（２）の先端に設けたクリップで挟持することからなる犬の糞取り器具を提供する。
【発明の詳細な説明】
【技術分野】
【０００１】  本発明は、犬の散歩中の糞の収納処理に関するものである。
【背景技術】
【０００２】  散歩中の犬の糞は、紙を用いて飼い主の手で直接収納処理、または器具を使用しても座りながら収納処理する方法が従来発明されている。
【先行技術文献】
【特許文献】
【０００３】
【特許文献１】特開２０１４−８３０４８号公報
【発明の概要】
【発明が解決しようとする課題】
【０００４】  本発明は、犬の糞を直接手で収納処理することは不衛生であり、また飼い主がいちいち座りながら収納処理する不便さを解決するものである。
【発明が解決しようとする課題】
【０００５】  以上の課題を解決するために、飼い主は犬の糞を直接手に触れることなく、収納本体部をワンタッチで伸縮自在の柄部の先端のクリップで挟持させ、収納本体部にポリ袋を事前に何枚か重ねて取り付けておき、犬が排便をしようと動作を始めた時に、飼い主は立ったまま楽な姿勢で器具を犬の後足の間にスムーズに挿入し、犬が移動しながら排便しても容易に糞を収納でき、収納した後にポリ袋を１枚ずつ裏返しして剥がし糞を袋詰めにすることにより、衛生的に手早く収納処理できる器具である。
【発明の効果】
【０００６】  飼い主は、犬の糞を直接触れることなく、犬の散歩中に脱糞１回ごとに収納処理できて衛生的である。
【図面の簡単な説明】
【０００７】
【図１】本発明請求項１の実施例の略六角形に切り取とった収納本体部の折紙図
【図２】本発明請求項１の実施例の収納本体部の斜視図
【図３】本発明請求項１の実施例の伸縮自在の柄部の斜視図
【図４】本発明請求項１の実施例の収納本体部と伸縮自在の柄部の結合斜視図
【発明を実施するための形態】
【０００８】  以下に、本発明の実施例を図面に基づいて説明する。
本器具は、収納本体部と伸縮自在の柄部から構成され、収納本体部は耐水性の厚紙に図１のとおり、辺（ａｂ）＝辺（ｃｄ）、辺（ａｄ）＝辺（ｂｃ）の長方形から、辺（ａｂ）の半分の長さをａｂの延長線上にそれぞれ点ｅと点ｆをとる。辺（ａｄ）線上に長さａｄの３分の１の点ｇを、辺（ｂｃ）線上に長さｂｃの３分の１の点ｈをとる。
点ｄから角度３０度からなる上方延長線と、辺（ｇｈ）の点ｇの左側仮想延長線上と交差する点ｉを、点ｃから角度３０度からなる上方延長線と、辺（ｇｈ）の点ｈの右側仮想延長線上と交差する点ｊをとる。
点ｅ、点ｆ、点ｊ、点ｄ、点ｉからなる略六角形に切り取とった耐水性の厚紙に辺（ｅｉ）の線上に辺（ａｅ）と同じ長さ点ｋを、辺（ｆｊ）の線上に辺（ｂｆ）と同じ長さ点ｌを取る。
予め完成途中の道筋になる凹凸で、辺（ｅｇ）と辺（ｆｈ）は山側に折り曲げ易くなる折加工が施され、辺（ａｄ）、辺（ｂｃ）、辺（ｇｋ）、辺（ｈｌ）は谷側に折り曲げ易くなる折加工が施されている。
図２のとおりスコップ形に立体の収納本体部を形成する。
図３伸縮自在の柄部の先端のクリップで図１収納本体部を挟持させ、
図４結合斜視図のとおり本器具を構成する。
【符号の説明】
【０００９】（１）  収納本体部
（２）  柄部
【図１】
2018166501.tif 000003
【図２】
2018166501.tif 000004
【図３】
2018166501.tif 000005
【図４】
2018166501.tif 000006
(57)【要約】【課題】  自力で身体を動かせない要介護者に対し、要介護者も介護者も少ない負担で要介護者の近距離の移動を簡易な方法で可能にさせる介護サポートベルトを提供する。【解決手段】  坐骨にコンタクトさせるために適度な幅を持った座面に、持ち手を取り付け、坐骨にコンタクトすることにより要介護者の負担を軽減し、持ち手を使うことにより介護者の負担を軽減し、シンプル構造でいつでも持ち運べる介護サポートベルト。【選択図】図１
2018051281.tif 000002
【特許請求の範囲】
【請求項１】
座面と持ち手を連結し、座面を要介護者の坐骨部分にコンタクトさせ、持ち手を使って要介護者にも介護者にも少ない負担で、要介護者の位置を移動させるための介護サポートベルト。
【発明の詳細な説明】
【技術分野】
【０００１】  本発明は、身体が自分で動かせない人を、介護者が短い距離を動かすための介護サポートベルトに関するものである。
【技術背景】
【０００２】  従来、要介護者をベルトのついた椅子にのせて運ぶ道具があった（特許文献１参照）
【先行技術文献】
【特許文献】
【０００３】
【特許文献１】特開  ２０１４−０３３９５８号公報
【発明の概要】
【発明が解決しようとする課題】
【０００４】  そのために次のような問題点があった。
（イ）座面に座らせるために要介護者を持ち上げなければならず、その際介護者が複数必      要であった。
（ロ）座面に座らせるために要介護者を持ち上げなければならず、その際要介護者に痛み      を与える場合があった。
（ハ）装置にある程度の大きさがあり、介護者が持ち運ぶには不便であった。
【課題を解決するための手段】
【０００５】  坐骨は人体を抱えるときの力を入れる場所としては最適の場所であり、その部分に効果的に力がかかる必要最小限の幅をもつベルトとした。
介護者がひとりの場合も、二人の場合も最適な力がかかるベルトの長さとした。
介護者が力を入れやすいように、ベルトに持ち手をつけた。
要介護者の坐骨部分が滑らない様に、また装置を坐骨部分にすべりこませたり、抜いたりするのに適度な摩擦をもたせるために綿の生地を使った。
装置の持ち運びがしやすいように、必要最小限のシンプルな構造にした。
【発明の効果】
【０００６】  要介護者をベットから車いす、車いすからベットに移動させるとき、要介護者にも介護者にも負担が少なく実施できる。
要介護者がベットに寝た状態で、少し位置を頭方へ移動させるときなど、要介護者にも介護  者にも負担が少なく実施できる。
ポケットにも収まるサイズなので、介護者がいつでも携帯できる。
【図面の簡単な説明】
【０００７】
【図１】  本発明の表面斜視図である。
【図２】  本発明の裏面斜視図である。
【発明を実施するための形態】
【０００８】  以下、本発明の実施の形態について説明する。
（イ）持ち手（１）は座面裏（３）とつながっている。
（ロ）座面裏（３）に綿生地の座面（２）が縫い付けてある。
（ハ）持ち手（１）は持ちやすいように、折り返して縫い合わせてある。
本発明は異常なような構成である。
本発明を使用するときは、座面（２）を要介護者の坐骨部分に滑りこませ、介護者は持ち手（１）を持って要介護者を持ち上げる。
移動が終わったら、持ち手（１）の片方を離し、要介護者の坐骨部分から引き抜く。
【符号の説明】
【０００９】      １  持ち手
２  座面
３  座面裏
【図１】
2018051281.tif 000003
【図２】
2018051281.tif 000004
(57)【要約】【課題】グリップの工夫により、手のひら感覚で、より繊細な操作を可能とする卓球ラケットを提供する。【解決手段】通常のグリップを排した円形の卓球ラケット（１）のフォア面に、親指の保持用グリップ（２）を設け、指先でつかむことで、手のひら感覚で打てる卓球ラケットを特徴とする。【選択図】図１
2018051270.tif 000002
【特許請求の範囲】
【請求項１】
通常のグリップを排した円形のラケット本体（１）。
そのフォア面に設ける親指の保持用グリップ（２）。以上の構成によりなる手のひら感覚で打てる卓球ラケット。
【発明の詳細な説明】
【技術分野】
【０００１】  この発明は、卓球ラケットを手のひら感覚で操作すべくラケット本体、グリップを改良した卓球ラケットである。
【背景技術】
【０００２】  従来、卓球ラケットのグリップは、特に初心者になじみにくく、またグリップ特有の弱点を有していたものである。
【先行技術文献】
【特許文献】
【０００３】
【発明の概要】
【発明が解決しようとする課題】
【０００４】  これは次のような欠点があった。
従来、卓球ラケットのグリップは選手との一体感に欠けていた。特に、主流となるシェイクハンドラケットには、台上プレーの困難さ、手首の可動域の狭さという問題を抱えていた。本発明は、以上のような欠点をなくすためになされたものである。
【課題を解決するための手段】
【０００５】  通常のグリップを排した円形ラケット（１）のフォア面に親指の保持用グリップ（２）を設ける。使用においては、親指でフォア面、残り四指でバック面を保持する。本発明は、以上の構成によりなる手のひら感覚で打てる卓球ラケットである。
【発明の効果】
【０００６】  ラケット打球面と手のひらに一体感があり、より繊細なラケット操作が可能となる。従来のグリップ特有の弱点である台上プレーの困難さ、手首の可動域の狭さという問題を解消した。
【図面の簡単な説明】
【０００７】
【図１】  本発明の斜視図である。
【図２】  本発明の保持グリップ（２）の平面図である。
【図３】  本発明の使用図である。
【図面の簡単な説明】
【０００８】  以下、本発明を実施するための形態について説明する。
通常のグリップを排した円形のラケット（１）のフォア面に、親指の保持用グリップ（２）を設ける。
本発明は、以上のような構成である。
これによって、手のひら感覚で打てる卓球ラケットを実現するものである。
これを使用する時は、親指を保持用グリップ（２）に通し、バック面を残りの四指で保持する。
【符号の説明】
【０００９】    １  ラケット本体
２  親指保持用グリップ
【図１】
2018051270.tif 000003
【図２】
2018051270.tif 000004
【図３】
2018051270.tif 000005
(57)【要約】【課題】  民間住宅等に輸送ドローンの配送場所を確保し、又、配送地点をピンポイントに誘導することで、宅配ドローンのシステムを実現できるようにすることを課題とする。【解決手段】  本体を、書面（６）で民間住宅やマンションのベランダの柵又は窓枠に固定してＧＰＳ信号で指定のドローンが接近することを察知すると、書面Ａの本体部から書面３の荷台部が伸展する。書面３の中央に設置された書面（１）のレーザーポインタから照射される書面（Ｓ）のレーザー光線が、接近したドローンのレーザー光線受光器に感知されることにより、レーザー光線に発信源に接近するプログラムによって、書面３までドローンが誘導される。  また、他のレーザー光線と識別するため、書面（Ｓ）のレーザー光線は、モールス信号と同様の波長信号として照射され、使用の都度に異なる波長の信号となるようプログラムされている。【選択図】図１
2018051279.tif 000002
【特許請求の範囲】
【請求項１】
ドローンにより空輸された荷物を置く荷台に設置されたレーザーポインタから照射されるレーザー光線により、宅配先のポストまでピンポイントにドローンを誘導することのできることを特徴とする、宅配輸送ドローン用レーザー誘導装置荷物台付き郵便ポスト。
【請求項２】
照射されるレーザー光線は、モールス信号と同様の波長信号として照射され、使用の都度に異なる波長の信号となるようプログラムされることで配送先を識別することができるため、他の場所と間違えることなく商品発注先にピンポイントに荷物を届けることができることを特徴とする、宅配輸送ドローン用レーザー誘導装置荷物台付き郵便ポスト。
【発明の詳細な説明】
【技術分野】
【０００１】  本発明は、宅配用の輸送ドローンが民間住宅に荷物を配送する際に、レーザー光線にて配送地点をピンポイントに誘導し、ドローンが配送物を置くことができる荷物台が設置された郵便ポスト（以下ＰＯＤという）に関するものである。
【背景技術】
【０００２】  従来の発想では、宅配用の輸送ドローンが民間住宅等に荷物を輸送する際は、発注者の自宅の玄関先や庭等が配送場所と想定されている。又、発送先の場所はＧＰＳ（全地球測位システム）により場所検索され、ドローンはその指示に従って検索先の住所まで飛行するが、発注者が希望する配送場所にピンポイントに荷物を届けることは、ＧＰＳ情報のみでは困難である。
【発明の概要】
【発明が解決しようとする課題】
【０００３】  解決しようとする問題点は、輸送ドローンの技術が向上しても配送場所の制限があることで、宅配ドローンのシステム構想は非常に限定的なものになり、一般的普及は実現困難なことである。そこで本発明は、民間住宅等に輸送ドローンの配送場所を確保し、又、配送地点をピンポイントに誘導することで、宅配ドローンのシステムを実現できるようにすることを課題とする。
【課題を解決するための手段】
【０００４】  本発明は、民間住宅やマンションのベランダの柵や窓枠等に取り付けることができる郵便ポストであり、ドローンにより空輸された荷物を置く荷台に設置されたレーザーポインタから照射されるレーザー光線により、宅配先のポストまでピンポイントにドローンを誘導することを主要な特徴とする。
【発明の効果】
【０００５】  本発明のＰＯＤは、民間住宅のベランダや窓にドローンで空輸される荷物の着地場所を確保するとともに、ＧＰＳ情報のみでは困難である荷物着場所に荷物をピンポイントで届けることができる利点がある。
【図面の簡単な説明】
【０００６】
【図１】ＰＯＤ全体の展開した状態の斜視図である。
【図２】ＰＯＤ使用待機状態の斜視図である。
【図３】ＰＯＤの荷台部の平面図である。
【発明を実施するための形態】
【０００７】  ＰＯＤは民間住宅やマンションのベランダ又は窓に設置でき、使用待機状態では荷台部が本体部に格納されており、ＧＰＳ信号で指定のドローンが接近することを察知すると蓋が開き、本体部から荷台部が伸展する仕様になっている。荷台部の中央に設置されたレーザーポインタから照射されるレーザー光線が、接近したドローンのレーザー光線受光器に感知されることにより、レーザー光線に発信源に接近するプログラムによって、ＰＯＤの荷台までドローンが誘導される。
【実施例】
【０００８】  図１は、ＰＯＤ全体の展開した状態の斜視図であって、Ａは本体部、Ｂは荷台部であり、Ａ、Ｂ及び（１）〜（８）は図２、図３と同様である。また、（Ｓ）はレーザーポインタから発射されたレーザー光線を可視化した図である。【０００９】  図２は、ＰＯＤの使用待機状態の斜視図であって、ＢがＡの内部に格納された状態である。ＧＰＳ信号で指定ドローンの接近を察知すると（３）を支点にして（２）の蓋が上部に開き、Ａの内部からＢが伸展する。【００１０】  図３は、ＰＯＤのＢ荷台部の平面図である。（１）はレーザーポインタであって、ドローンがＧＰＳ信号で指定のドローンの接近を察知すると、図１の（Ｓ）のように、ドローンに向けてレーザーを照射する。【００１１】  図３の３は荷台であって、この荷台にドローンから空輸された荷物が着地し、荷物が着地すると（８）のストッパーが（７）のレールの（９）レール溝を通り中央に集結することで荷物を荷台に固定する。【００１２】  空輸された荷物が荷台に固定されると、ドローンはＰＯＤから離れ帰還し、図３（４）の伸縮型のレールが収縮して、図１Ａ本体の２の内部にＢ荷台部が荷物ごと格納される。【００１３】  図２の６は、ベランダの柵等に固定できる固定装置であって、荷物が収納されたＰＯＤは６に固定された５の回転台によって左右９０度に回転する。回転後に使用者の指示によって展開するプログラムにて、収納された荷物を回収することができる。
【実施例２】
【００１４】  図１の（Ｓ）のレーザー光線は、モールス信号と同様の波長信号として照射され、使用の都度に異なる波長の信号となるようプログラムされている。ドローンはその信号を受光器で感知し、配送先を識別することができるため、他の場所と間違えることなく商品発注先にピンポイントに荷物を届けることができる。
【産業上の利用可能性】
【００１５】  ＰＯＤの設置により、買い物が困難な高齢者の宅配事業、輸送自動車の自動運転と連動した宅配事業の無人化、地域小型小売業の活性化等のあらゆる輸送事業に大きく貢献することが期待できる。
【符号の説明】
【００１６】  Ａ    ＰＯＤの本体部
Ｂ    ＰＯＤの荷台部
１    本体外部
２    本体内部
３    荷台
（Ｓ）  レーザー光線の可視図
（１）  レーザーポインタ
（２）  本体蓋
（３）  蓋軸
（４）  伸縮レール
（５）  本体回転台
（６）  固定装置
（７）  レール
（８）  ストッパー
（９）  レール溝
【図１】
2018051279.tif 000003
【図２】
2018051279.tif 000004
【図３】
2018051279.tif 000005
(57)【要約】【課題】椅子などに座る時足の開きを気にせず座れるようにリボンの両端に芯を入れ、足の下に敷き、楽に足を閉じて座っていられるエチケットリボンを提供する。【解決手段】リボンの両端に芯を入れ、リボンの中心に穴を設けたエチケットリボンを特徴とする。【選択図】図１
2018051275.tif 000002
【特許請求の範囲】
【請求項１】
リボンの両端に芯を入れ中心にキーホルダーや飾りなどを取り付ける穴を設けたエチケットリボン。
【発明の詳細な説明】
【技術分野】
【０００１】  この発明は、リボンの両端に芯を入れ中心にキーリールや飾りをつける穴を設けたエチケットリボンに関するものである。
【背景技術】
【０００２】  従来、椅子などに座るとき膝が開くのを防ぐには自分の意志で閉じておかなくてはならなかった。
【発明の開示】
【発明が解決しようとする課題】
【０００３】これは次のような欠点があった。
椅子などに座るとき足が開き常に足を閉じる事に気を取られる。          本発明は、以上のような欠点をなくすためになされたものである。
【課題を解決するための手段】
【０００４】リボンの両端に芯を入れ、リボンの中心にキーリールや飾りをつける穴を設ける。
本発明は、以上の構成によりなるエチケットリボンである。
【発明の効果】
【０００５】  エチケットリボンを座った時に足の下に敷く事により足が開きにくくなる。寝ていても本を読んでいても足の開きを気にすることなく楽に座っていることが出来る。
【発明を実施するための最良の形態】
【０００６】  以下、本発明を実施するための最良の形態について説明する。
リボンの両端に芯を入れ、リボンの中心にキーリールや飾りをつける穴を設ける。
本発明は、以上のような構造である。
これを使用するときは、座った時に足の下にリボンを敷き足を開きにくくすればよい。
【図面の簡単な説明】
【０００７】
【図１】本発明の斜視図である。
【図２】本発明の使用時の図である。
【符号の説明】
【０００８】１、  芯が入った部分
２、  キーリールや飾りをつける穴
【図１】
2018051275.tif 000003
【図２】
2018051275.tif 000004
(57)【要約】【課題】  球状立体構造（テンセグリティー構造）を応用し、張り付けられた身体付着部位に安定性と制動性を与え、専門的知識や技術がなくても効果的に、かつ容易に身体各部位に張り付けることが可能なテーピング用テープを提供する。【解決手段】  テープ部材（１）に三角形孔（２）を設け、身体接着面には粘着層（４）を備えたテーピング用テープを特徴とする。【選択図】図１
2018051278.tif 000002
【特許請求の範囲】
【請求項１】
テープ部材（１）に三角形孔（２）を設け、身体接着面には粘着層（４）を備えたテーピング用テープ。
【発明の詳細な説明】
【技術分野】
【０００１】  この発明は、テープ部材に一辺が１：１：１の正三角形孔を有し、身体に張り付けた際にテープ部材が球状立体構造（テンセグリティー構造）を形成し、付着部位に安定性と制動を与え、医療にもスポーツにも適用可能なテーピング用テープに関するものである
【背景技術】
【０００２】  従来、テープ部材に通気性を考慮した通気孔や、肌張り付け面の粘着剤に正三角形を有していた。
また、身体各部位により異なった複雑なテーピングの巻き付け、張り付け方法を習得し、それぞれ覚える必要があった。
【先行技術文献】
【特許文献】
【０００３】
【特許文献１】  特開−２００８−２７２３４０号公報
【特許文献２】  特開平−１０−２７７０８３号公報
【発明の概要】
【発明が解決しようとする課題】
【０００４】  従来、テーピング用テープは身体各部位により異なった複雑なテーピングの巻き付け、張り付け方法を習得しそれぞれ覚える必要があった。また、身体には平面部分はなく、ほとんどが立体球面構造をなしており、関節部は凸面と凹面が存在し、より効果的なテーピングを実施するには、筋肉や靭帯の付着部位や走行角度、関節の運動方向など解剖学、運動学などの専門知識と貼付け技術を必要とし、それらを考慮してテーピングを実施する必要があった。
テーピング用テープが一般に販売、普及しているが、以上のことから効果的に身体各部位にテーピングを実施するには、専門知識を有し、かつテーピング技術を習得している者以外は困難であった。
本発明は、以上のような欠点をなくし、専門的知識や技術がなくても効果的に、かつ容易に身体各部位に張り付けることが可能なテーピング用テープを提供することである。
【課題を解決するための手段】
【０００５】  伸縮性を有するテープ部材（１）に一辺が１：１：１の正三角形孔（２）がそれぞれの辺に平行に配列（３）され、身体接着面には粘着層（４）を備える。身体に張り付けた際にテープ部材が球状立体構造（テンセグリティー構造）を形成するテーピング用テープである。
【発明の効果】
【０００６】  伸縮性を有するテープ部材に一辺が１：１：１の正三角形孔がそれぞれの辺に合わさるように平行に配列されることにより、身体部分に張り付けられた際にテープ部材が球状立体構造（テンセグリティー構造）を形成し、正三角形を取り囲むように成形されたテープ部材が全運動方向に対し張力と圧縮力を発揮し、張り付けられた身体部分に安定性と制動力を生む。
テープは一枚で身体部分を覆うため、専門的知識や技術がなくても効果的に、かつ容易に身体各部位に張り付けることが可能となる。
【図面の簡単な説明】
【０００７】
【図１】  本発明の表面肩関節貼付図である。
【図２】  本発明の表面膝関節貼付図である。
【図３】  本発明の表面図である。
【図４】  本発明の断面図である。
【発明を実施するための形態】
【０００８】  伸縮性を有するテープ部材（１）に一辺が１：１：１の正三角形孔（２）がそれぞれの辺に平行になるように配列（３）する。
身体接着面には粘着層（４）を備える。
身体に張り付けた際にテープ部材が正三角形を一辺とする球状立体構造（テンセグリティー構造）を形成し、張り付けられた身体付着部位に安定性と制動性を与えるテーピング用テープである。
【符号の説明】
【０００９】  １  伸縮性を有するテープ部材
２  一辺が１：１：１の正三角形孔
３  平行配列
４  粘着層
【図１】
2018051278.tif 000003
【図２】
2018051278.tif 000004
【図３】
2018051278.tif 000005
【図４】
2018051278.tif 000006
(57)【要約】【課題】配線処理を簡略化する。【解決手段】本体１と、本体１に収納される内釜２と、本体１の上部開口を覆う蓋４と、内釜２を加熱する加熱手段と、この加熱手段の電力を制御する電力制御素子と、加熱手段と電力制御素子とを冷却する冷却ファン１９と、電力制御素子を制御するマイクロコンピュータ１３を有する制御手段１２と、電力制御素子と制御手段１２とを有する制御基板１２ｓと、を備え、マイクロコンピュータ１３は、室温を検出する温度センサー１４を有するものである。【選択図】図２
2018051095.tif 000002
【特許請求の範囲】
【請求項１】
本体と、
該本体に収納される内釜と、
前記本体の上部開口を覆う蓋と、
前記内釜を加熱する加熱手段と、
該加熱手段の電力を制御する電力制御素子と、
前記加熱手段と前記電力制御素子とを冷却する冷却ファンと、
前記電力制御素子を制御するマイクロコンピュータを有する制御手段と、
前記電力制御素子と前記制御手段とを有する制御基板と、を備え、
前記マイクロコンピュータは、室温を検出する温度センサーを有することを特徴とする炊飯器。
【請求項２】
前記制御基板は、
前記冷却ファンからの冷却風の流れに対して、前記マイクロコンピュータの風下に前記電力制御素子を配置したことを特徴とする、請求項１記載の炊飯器。
【発明の詳細な説明】
【技術分野】
【０００１】
本発明は、炊飯器に関するものである。
【背景技術】
【０００２】
従来この種の炊飯器として、特許文献１の要約欄には、「蓋には蓋ヒーター６を有し、本体には本体ヒーター５と、温度を検出する温度センサー７と室温を検出する室温センサー８と、さらに温度センサー７と室温センサー８の出力とある定められた制御温度との比較で本体ヒーター５と蓋ヒーター６の通電を制御する自動温度調節器９を設け、本体ヒーター５への通電を温度センサー７が定められた制御温度以上になると停止し、制御温度未満になると再開して温度を一定に保ち、また、蓋ヒーター６の通電率を本体ヒーター５のＯＮ−ＯＦＦ制御に同期させて制御するようにするとともに、温度センサー７と室温センサー８の出力により定めるようにしたものとする。」と記載がある。
【先行技術文献】
【特許文献】
【０００３】
【特許文献１】特開平０６−２０５７２５号公報
【発明の概要】
【発明が解決しようとする課題】
【０００４】
特許文献1の構成では、室温センサーが自動温度調節器から離れた位置にあるため、温度検出部用の配置スペースの確保や自動温度調節器との接続ハーネス、本体内部での配線処理が必要であり、構造が複雑化しコストが増加する課題があった。
【課題を解決するための手段】
【０００５】
本発明は、上記の課題を課題するためになされたものであり、本体と、該本体に収納される内釜と、前記本体の上部開口を覆う蓋と、前記内釜を加熱する加熱手段と、該加熱手段の電力を制御する電力制御素子と、前記加熱手段と前記電力制御素子とを冷却する冷却ファンと、前記電力制御素子を制御するマイクロコンピュータを有する制御手段と、前記電力制御素子と前記制御手段とを有する制御基板と、を備え、前記マイクロコンピュータは、室温を検出する温度センサーを有する。
【発明の効果】
【０００６】
本発明によれば、配線処理が簡略化できる。
【図面の簡単な説明】
【０００７】
【図１】本発明の実施例に係る炊飯器の側面断面図。
【図２】本発明の実施例に係る制御手段を説明するブロック図。
【発明を実施するための形態】
【０００８】
本発明の実施例を図面に基づいて説明する。図1は、本発明の実施例に係る炊飯器の側面断面図である。図２は、制御手段のブロック図である。
【０００９】
本実施例の炊飯器は、上部開口有底の本体１と、本体１内には着脱自在に挿入された内釜２と、本体１の上面には本体１と内釜２の上部開口を覆う内蓋３を備えた蓋４が開閉自在に設けられている。蓋４には、蓋４の上面に設けた排気口１８に連通し、外部に蒸気が放出される通路となる蒸気通路１７が設けられ、蒸気通路１７には調圧手段６が設けられている。
【００１０】
調圧手段６の近傍には、調圧手段６の動作の有無を切り替える解放手段７が設けられている。本体１の底部及び側部には、内釜２を加熱する加熱手段として、底面加熱手段８と側面加熱手段９が設けられており、これらは加熱コイルで構成され、対向する内釜２の部位を誘導加熱する。本体１の下部には、内釜２の外側底部に当接して鍋底部の温度を検出する内鍋温度センサー１０と、蒸気通路１７には蒸気通路１７を通る蒸気によって温められる蓋温度センサー１１と、底面加熱手段８及び側面加熱手段９及び解放手段７の動作を制御する制御手段１２が設けられ、制御手段１２には温度センサー１４を搭載したマイクロコンピュータ１３が搭載されており、マイクロコンピュータ１３に搭載された温度センサー１４により室温の検出を行う。
【００１１】
その構成は、内釜温度センサー１０及び蓋温度センサー１１とマイクロコンピュータ１３に搭載された温度センサー１４によって検出した室温の検出温度から底面加熱手段８を制御する電力制御部１５、側面加熱手段９を制御する電力制御部１６から構成されている。
【００１２】
電力制御部１５と電力制御部１６の電力制御素子には放熱フィン２０が取り付けられている。そして制御手段１２と電力制御素子とを備えた制御基板１２ｓは、後述する冷却ファン１９の送風する冷却風の流れに対して、マイクロコンピュータ１３より風下側に放熱フィン２０を配置している。
【００１３】
冷却ファン１９は本体１の底面側に設けられ、本体１外から吸い込んだ空気を底面加熱手段８と側面加熱手段９に送風して冷却し、また制御手段１２を備えた制御基板１２ｓでは本体１外から吸い込んだ空気をマイクロコンピュータ１３に送風した後に電力制御部１５と電力制御部１６を冷却する。
【００１４】
上記した本実施例によれば、マイクロコンピュータ１３に内蔵されている温度センサー１４で室温の検出が可能となり、室温センサー１４を外部に設ける必要がなく、その分の配置スペースや接続ハーネス、本体１内部の配線処理が不要となり、安価に保温機能を有した炊飯器の提供が可能となる。
【００１５】
また、この構成は、炊飯器の他に、オーブンレンジ、ＩＨクッキングヒータなどにも応用できる。
【符号の説明】
【００１６】
１  本体
２  内釜
３  内蓋
４  蓋
６  調圧手段
７  解放手段
８  底面加熱手段
９  側面加熱手段
１０  内釜温度センサー
１１  蓋温度センサー
１２  制御手段
１２ｓ  制御基板
１３  マイクロコンピュータ
１４  温度センサー
１５  電力制御部
１６  電力制御部
１９  冷却ファン
２０  放熱フィン
【図１】
2018051095.tif 000003
【図２】
2018051095.tif 000004
(57)【要約】【課題】既存の流量計では条件に合致した薬液しか使用できない。【解決手段】  ロータリーミキサー１と、該ロータリーミキサー１内に複数種類の薬液を供給する手段２、2aと、該薬液供給手段２、2a内での薬液中のフィラーを撮影する手段３、3aと、該撮影手段３、3aからの画像データによる流速の算定、流速算定値による流量の算定、流量算定値と流量設定値の比較、薬液供給手段２の出力変更を行う演算手段４とを有していることにより、非接触式でありながら、フィラーが混入していても薬液の導電性の有無、種類、組成に拘らず流速を測定可能にする。【選択図】図１
2018051481.tif 000002
【特許請求の範囲】
【請求項１】
フィラーが混入された複数の薬液を混合する多液混合型注入機であって、
ロータリーミキサーと、該ロータリーミキサー内に複数種類の薬液を供給する手段と、該薬液供給手段内での薬液中のフィラーを撮影する手段と、該撮影手段からの画像データによる流速の算定、流速算定値による流量の算定、流量算定値と流量設定値の比較、薬液供給手段の出力変更を行う演算手段とを有していることを特徴とする多液混合型注入機。
【発明の詳細な説明】
【技術分野】
【０００１】
本発明は、注型、成形、塗装等において多種類の微量の薬液の混合比一定に維持可能な多液混合型注入機に関する。
【背景技術】
【０００２】
従来、フィラーと称されるミクロ又はナノサイズの物質を混入した合成樹脂にも適用可能な二液混合型注入機として、縦型スクリューポンプを利用することにより、フィラーの噛み込み、フィラーによる内部部品の磨耗を抑止可能にしたものが見受けられる（例えば、特許文献１参照）。
【０００３】
しかし、何らかの理由で一方の薬液容器からの薬液の流量が変化した場合、そのまま放置すれば混合比の異なる混合液となって吐出され不良品が製造され続けられてしまうことになる。
【０００４】
よって、多種類の薬液を混合するミキサーへの薬液供給手段にあっては、一定の混合比にすべく供給量が設定されており、この設定値により各薬液供給手段におけるモータの出力が決定することになり、前記供給量は流速を測定することで実測可能で、実際には流量計を各薬液供給手段における供給経路に設置することになる。
【０００５】
そこで、薬液の供給経路に流量計を設置すれば、流量の変化を検知することが可能となり、この流量計としては、（１）電磁式、（２）カルマン渦式、（３）羽根車式、（４）浮き子式、（５）熱式、（６）ダイヤフラム式、（７）超音波式が一般的である。
【先行技術文献】
【特許文献】
【０００６】
【特許文献１】特開２０１６−４３５０８号公報
【発明の概要】
【発明が解決しようとする課題】
【０００７】
しかし、上記従来技術にあっては、（１）については導電性のない材料には適用できず、（５）については材料の種類、組成に合致した使用設定が面倒で、（２）、（３）、（４）、（６）、（７）は固形物が混入された材料用としては不向きであることから、条件に合致した薬液しか使用できず、汎用性に劣るなど、解決せねばならない課題があった。
【課題を解決するための手段】
【０００８】
本発明は、上記従来技術に基づく、既存の流量計では条件に合致した薬液しか使用できない課題に鑑み、フィラーが混入された複数の薬液を混合する多液混合型注入機であって、ロータリーミキサーと、該ロータリーミキサー内に複数種類の薬液を供給する手段と、該薬液供給手段内での薬液中のフィラーを撮影する手段と、該撮影手段からの画像データによる流速の算定、流速算定値による流量の算定、流量算定値と流量設定値の比較、薬液供給手段の出力変更を行う演算手段とを有していることによって、非接触式であり、且つ薬液の導電性の有無、種類、組成に拘らず流速を測定可能にして、上記課題を解決する。
【発明の効果】
【０００９】
要するに本発明は、ロータリーミキサーと、該ロータリーミキサー内に複数種類の薬液を供給する手段と、該薬液供給手段内での薬液中のフィラーを撮影する手段と、該撮影手段からの画像データによる流速の算定、流速算定値による流量の算定、流量算定値と流量設定値の比較、薬液供給手段の出力変更を行う演算手段とを有しているので、一方の薬液供給手段による薬液の流量の算定値と設定値が合致しなかった場合、他方の薬液の流量を自動的に変更して混合比率を一定に保ち、それでも対処できない場合には故障発生と見做して直ちに材料の供給を停止させることが可能なため、不良品の発生を必要最低限に抑えることが出来る等その実用的効果甚だ大である。
【図面の簡単な説明】
【００１０】
【図１】本発明に係る多液混合型注入機の概略図である。
【図２】撮影手段の概略図である。
【発明を実施するための形態】
【００１１】
本発明に係る多液混合型注入機にあっては、フィラーが混入された複数種類の薬液を混合するタイプのもので、基本的に、図１に示す様に、ロータリーミキサー１と、該ロータリーミキサー１内に２種類の薬液を供給する手段２、2aと、該薬液供給手段２、2a内での薬液中のフィラーを撮影する手段３、3aと、該撮影手段３、3aからの画像データによる流速の算定、流速算定値による流量の算定、流量算定値と流量設定値の比較、薬液供給手段２、2aの出力変更を行う演算手段４とを有している。
【００１２】
薬液供給手段２、2aは、薬液容器５、5aと、該薬液容器５、5aとロータリーミキサー１との間に設けた薬液の供給経路６、6aと、該供給経路６、6aに設けた薬液を薬液容器５、5aからロータリーミキサー１へ送るポンプ７、7aとを有しており、該ポンプ７、7aはフィラーが混入された薬液にも対応可能なものとしている。
【００１３】
撮影手段３、3aは、投光器及び受光器からなる光電センサやＣＣＤカメラとし、図２に示す様に、供給経路６、6aの中間部を狭窄させ且つ透光可能とした部位の外側に設置されている。
【００１４】
演算手段４は、複数の薬液の混合比を一定に維持するためのもので、撮影手段３、3aからの画像データに基づき算定された流量が設定値と合致しなかった場合、正常な薬液供給手段２、2aにおけるポンプ７、7aの出力を、混合比率を一定に保つべく変更可能にしている。
【００１５】
次に、本発明に係る多液混合型注入機の作用について説明する。
先ず、２種類の薬液の混合比に応じた流量にするべくポンプ７、7aの出力を設定して作動させ、撮影手段３、3aにより薬液中のフィラーを撮影し、撮影データを演算手段４に送信し、フィラーの移動量に基づき薬液の流速を算定し、この算定流速値に基づき薬液の流量を算定し、この算定流量値と設定流量値を比較し、合致しなければ、変化率を算定して、残る正常なポンプ７、7aの出力を、設定流量値に変化率を乗じた変更流量値にするべく変更して、混合比を一定に維持する。
【００１６】
尚、本実施例は、２種類の薬液の混合するものであるが、３種類以上であっても良く、薬液と同数の薬液供給手段を設けることで対応可能にしている。
【符号の説明】
【００１７】
１      ロータリーミキサー
２、2a  薬液供給手段
３、3a  撮影手段
４      演算手段
【図１】
2018051481.tif 000003
【図２】
2018051481.tif 000004
(57)【要約】【課題】従来の透明２つ折りファイルは、それを携帯する場合は、その中に入れた用紙がそのままでは抜け落ち易いのが欠点である。【解決手段】１、透明ファイル上辺をふさぎかつ手で持ちやすい取手を設ける。２、取手をつけた状態で中身の用紙が抜け落ちないようにする。３、同時に中身の用紙を外から見え易くする。【選択図】図２
2018176702.tif 000002
【特許請求の範囲】
【請求項１】
２つ折り式プラスチック・シートから成る長方形の用紙収納用ファイルの上辺の中心に手で持ち易くかつ内部の複数枚の用紙が落ちにくくする取手を取り付けて、全体として携帯し易くかつ取手にかべかけ用小孔を設けて内部に絵画・しゃしん・・・を入れた場合、鑑賞用かべかけ額ともなることを特徴とする携帯用取手付き透明ファイル。
【発明の詳細な説明】
【技術分野】
【０００１】本発明は、Ａ−４、Ｂ−４・・・の用紙を複数枚入れて保管すると同時に携帯する型のプラスチック・透明ファイルに関するものである。
【背景技術】
【０００２】従来の透明ファイルは、その中に用紙を入れて持ち運びする場合、内部の用紙が抜け落ちないように注意して、ファイルの開口部を手で押さえておかなければならず不便である。
【発明が解決しようとする課題】
【０００３】その欠点を解消するためファイル上部に中身が抜け落ちにくいと同時に全体を携帯するため取手を取付けるのが本発明の課題である。
【課題を解決する手段】
【０００４】本発明に於ては、従来の長方形の透明ファイルの上辺に２列脚付き屋根形の取手をとりつけて、ファイルを持ち運びする際、内部の複数枚の用紙が抜け落ちないようにすると同時に、取手を手で持って透明ファイル全体を持ち運び、携帯し易くするものとする。
【発明の効果】
【０００５】本発明による取手付き透明ファイルは、その中の複数枚の用紙が抜け落ちにくくなると同時に全体を取手によって携帯し易く、また取手部分にかべかけ用小孔を設けることによって、このファイルをかべにかけることが可能となり、このファイルに絵画やしゃしんを入れておけば携帯用額縁となり、これを携帯中でもまたかべにかけた場合でも、その中に入れた絵画やしゃしんを眺めて鑑賞することができる。
【発明を実施するための最良の形態】
【実施例】
【０００６】  図１、図２、図３、
図１に於てＡはＡ１、Ａ２、Ａ３及びＡ４を４隅とする長方形Ａ１、Ａ２、Ａ３、Ａ４の２つ折り透明ファイルであって、辺Ａ１Ａ２、Ａ２Ａ３はクローズされた辺であって、辺Ａ３Ａ４及びＡ４Ａ１はオープン辺であって、用紙はこれらのオープン辺から出入される。
図２はこの透明ファイルの上辺Ａ４Ａ１の中心に屋根型取手Ｂを取付けた正面図である。
図３は携帯用透明ファイルに使用するプラスチック・シート又は紙製の屋根型取手Ｂの正面図であって、Ｂは２層のプラスチック・シート又は紙製でその上部は△屋根型でその両側に脚Ｃ１＋Ｃ２及びＣ３＋Ｃ４がついている。Ｂ部の２枚のシートは接着されており、左右の脚Ｃ１＋Ｃ２、Ｃ３＋Ｃ４の下部Ｃ２、Ｃ４は透明ファイルＡの２層の上辺Ａ３Ａ４に接着されており、Ｃ１とＣ３はフリーである。
この状態で取手Ｂは透明ファイルの上部につながって同体となっており、脚Ｃ１及びＣ３の中間部Ｄはフリーなまどである。このまどＤに手を入れて全体を携帯することができる。
またＣ１とＣ２、Ｃ３とＣ４の中間にヨコミシン目Ｆ１Ｆ２を施して、必要に応じて取手の上部を折り返すことができるようにする。
【図面の簡単な説明】
【０００７】
【図１】従来型の長方形の透明ファイルの正面図
【図２】本発明に於ける取手付き長方形の透明ファイルの正面図
【図３】本発明に於ける携帯型透明ファイルの取手の正面図
【符号の説明】
【０００８】Ａ：従来型透明ファイルの正面図
Ｂ：本発明に於ける携帯型透明ファイルの取手
Ｃ１、Ｃ２、Ｃ３、Ｃ４：本発明に於ける携帯型透明ファイルの取手の両脚
Ｄ：本発明に於ける携帯型透明ファイルの取手の中間部のフリースペース
Ｅ１、Ｅ２：本発明に於ける携帯型透明ファイルの取手のかべかけ用小孔
Ｆ１、Ｆ２：本発明に於ける取手の両脚の中間に施されたヨコミシン目
【図１】
2018176702.tif 000003
【図２】
2018176702.tif 000004
【図３】
2018176702.tif 000005
(57)【要約】【課題】歯車加工時に使用される歯切工具の異常検知においても、その工具の形状や大きさに関わらず、異常が発生した位置を正確かつ迅速に検知できる工作機械を提供する。【解決手段】ＣＮＣ制御部を有する工作機械において、歯切工具１を把持し、回転させるスピンドル２と、歯切工具１の切刃の状態を検出する渦電流センサ３と、を備えており、スピンドル２はロータリエンコーダを有し、かつ渦電流センサ３はＣＮＣ制御部と電気的に接続されている工作機械とする。【選択図】図１
2018176347.tif 000002
【特許請求の範囲】
【請求項１】
ＣＮＣ制御部を有する工作機械において、歯切工具を把持し、回転させるスピンドルと、前記歯切工具の切刃の状態を検出する渦電流センサと、を備えており、前記スピンドルはロータリエンコーダを有し、かつ前記渦電流センサは前記ＣＮＣ制御部と電気的に接続されていることを特徴とする工作機械。
【請求項２】
前記渦電流センサはセンサアンプを介して前記ＣＮＣ制御部と電気的に接続されており、前記センサアンプはスキップ信号を前記ＣＮＣ制御部へ出力できるアンプであることを特徴とする請求項１に記載の工作機械。
【請求項３】
前記歯切工具は、スカイビングカッタ、ピニオンカッタ、シェービングカッタ、ホブのうちのいずれかの歯切工具であることを特徴とする請求項１または２に記載の工作機械。
【発明の詳細な説明】
【技術分野】
【０００１】
本発明は、各種の工具を用いて被削材への加工を行う工作機械、特に歯切工具を用いた歯車加工を行う工作機械に関する。
【背景技術】
【０００２】
従来より、刃物を回転しながら被削材を切削加工する工作機械において、切削加工中に刃物の欠けが生じた場合、刃物だけでなく被削材自体も損傷を受ける。そのため、切削加工中または切削加工後において刃物の状態を検出するセンサを工作機械に備えている。
【０００３】
例えば、特許文献１には刃物の刃欠けの有無を検出する光ファイバ付き反射型光電スイッチおよび刃取付位置検知信号を出力する刃取付位置検知回路を使用することで、反射型光電スイッチからの検出信号と刃取付位置検知信号との比較（差異）によって刃物の欠けを検知する技術が開示されている。
【０００４】
また、特許文献２には回転ブレードに近接して渦電流センサを配置することで、回転ブレードと渦電流センサとの距離の変化に伴うコイルのインピーダンスの変化により回転ブレードの摩耗や破損を検出できる技術が開示されている。
【先行技術文献】
【特許文献】
【０００５】
【特許文献１】特開昭６１−２５２０５１号公報
【特許文献２】特開平８−３９５４０号公報
【発明の概要】
【発明が解決しようとする課題】
【０００６】
しかし、特許文献１開示された検出手段では光電スイッチを使用しているので、切削加工中に切削液の影響を受けた場合に誤検知や高精度での計測が困難になるという問題があった。また、特許文献２開示された検出手段では切削液の影響を受けることで誤検知等の誤作動が発生するという問題はない。
【０００７】
ところが、歯車加工時に使用される歯切工具（ピニオンカッタやスカイビングカッタ）を使用した場合、被削物（ワーク）によって検査対象である歯切工具の形状や大きさが異なるので正確な検査が困難であった。また、歯切工具の形状や大きさによらず異常の検知を正確に行うためには、工作機械内で都度調整ネジ等のジグを使用することで計測位置の微調整を行う必要があるので、その確認に時間や手間を要するという問題があった。
【０００８】
そこで、本発明においては歯車加工時に使用される歯切工具の異常検知においても、その工具の形状や大きさに関わらず、異常が発生した位置を正確かつ迅速に検知できる工作機械を提供することを課題とする。
【課題を解決するための手段】
【０００９】
前述した課題を解決するために、本発明の工作機械はＣＮＣ制御部を有しており、歯切工具を把持し、回転させるスピンドルと、歯切工具の切刃の状態を検出する渦電流センサと、を備えており、このスピンドルはロータリエンコーダを有し、かつ渦電流センサはＣＮＣ制御部と電気的に接続している構成とした。
【００１０】
また、この渦電流センサはセンサアンプを介してＣＮＣ制御部と電気的に接続して、センサアンプはスキップ信号をＣＮＣ制御部へ出力できるアンプとすることができる。なお、歯切工具はスカイビングカッタ、ピニオンカッタ、シェービングカッタ、ホブのうちのいずれかの歯切工具でも構わない。
【発明の効果】
【００１１】
本発明の工作機械を用いることで歯車加工時に使用される歯切工具の異常検知において、その歯切工具の形状や大きさに関わらず、異常が発生した位置を正確かつ迅速に検知できるという効果を奏する。
【図面の簡単な説明】
【００１２】
【図１】本発明の一実施形態を示す工作機械の内部構造を示す模式図である。
【発明を実施するための形態】
【００１３】
本発明の工作機械について図面を用いて説明する。本発明の一実施形態を示す工作機械の内部構造の模式図を図１に示す。本発明の工作機械の内部は図１に示すように、主軸を介して工具（歯切工具）１を把持し、回転させるスピンドル２が上方に取り付けられている。スピンドル２は内部に図示しないロータリエンコーダ（角度エンコーダ）を有している。このロータリエンコーダは、後述する渦電流センサ３により歯切工具１の異常を検知した場合に異常箇所（どの箇所の切刃に異常が発生したか）を正確に把握することができる。
【００１４】
また、スピンドル２の主軸の先端に装着された歯切工具１を構成する各切刃の状態を検出（計測）するために、工作機械のテーブル上に渦電流センサ３が取り付けられている。この渦電流センサ３は、歯切工具１の大きさや設置位置に追随できるように台座等を介して自在に高さを調整できる構造となっている。歯切工具１による切削加工が完了した後、（または切削加工中に歯切工具１の異常が発生した場合には切削加工を中断した後）歯切工具１を回転させながら渦電流センサ３によって歯切工具１の切刃の状態を検出（計測）する。
【００１５】
この渦電流センサ３は図示しないセンサアンプを介して本発明の工作機械が備えているＣＮＣ制御部と電気的に接続されている。このセンサアンプは、スキップ信号をＣＮＣ制御部へ出力できるアンプである。また、渦電流センサ３は図１に示すように渦電流センサ収容ボックス１０内に収容することができる。これは、歯切工具１を用いた被削材の加工（切削加工）時においては被削材の一部（いわゆる切粉）が周囲に飛散することで渦電流センサ３に接触することを防ぐためである。その際、渦電流センサ３は図１に示すＺ軸に沿って自由に昇降できるので、渦電流センサ３が下降することで渦電流センサ収容ボックス１０内に収容された後、渦電流センサ収容ボックス１０の蓋部２０を閉じる。
【００１６】
また、渦電流センサ３を用いて歯切工具１の状態を検出する場合には、渦電流センサ収容ボックス１０の蓋部２０が開いて渦電流センサ３が上昇する。さらに、渦電流センサ３およびスピンドル２は、共に図示しない台座部分が図１に示すＸ軸とＹ軸に沿って工作機械のテーブル上を移動することで互いの距離を自在に設定できる。
【符号の説明】
【００１７】
１        歯切工具
２        スピンドル
３        渦電流センサ
【図１】
2018176347.tif 000003